(57)【特許請求の範囲】
【請求項１】
低音弦から高音弦までの複数の弦を載置する駒を有する弦鳴楽器であって、
前記駒の低音弦側の側部から駒本体の内側に形成された空間部を介して低音弦側に自由肩部が形成されているとともに、前記空間部内に設けられた支持部材によって前記自由肩部が支持されていることを特徴とする弦鳴楽器。
【請求項２】
前記空間部が駒本体に形成された切欠溝よりなり、前記自由肩部が該切欠溝内に設けられた支持部材によって支持されている請求項１に記載の弦鳴楽器。
【請求項３】
前記自由肩部が楽器本体に設けられた支持部材によって支持されている請求項１に記載の弦鳴楽器。
【請求項４】
前記支持部材が前記空間部に沿って移動自在に設けられている請求項１ないし３のいずれかに記載の弦鳴楽器。
【請求項５】
低音弦から高音弦までの複数の弦を載置する駒本体を備え、前記駒本体は低音弦側支持部材及び高音弦側支持部材によって支持されているとともに、前記低音弦側支持部材の前記低音弦と高音弦の中間位置を基準とする距離（ｘ）は前記高音弦側支持部材の前記低音弦と高音弦の中間位置を基準とする距離（ｙ）よりも短く形成されていることを特徴とする弦鳴楽器。
【請求項６】
前記低音弦側支持部材及び高音弦側支持部材が楽器本体上に配置された足部材と結合されている請求項５に記載の弦鳴楽器。
【請求項７】
前記低音弦側支持部材及び高音弦側支持部材が直接楽器本体に結合されている請求項５に記載の弦鳴楽器。
【発明の詳細な説明】
【０００１】
【発明の属する技術分野】
この発明は、マンドリンやギターあるいはピアノ等の弦鳴楽器に関し、特にはその駒（「ブリッジ」ともいう。）の構造に関する。
【０００２】
【従来の技術】
例えばマンドリンやギターなどの楽器は、低音弦から高音弦までの複数の弦が駒を介してその両端が弦留めされた構造となっている。駒は弦と響板の間にあって、弦の振動を響板に伝達する。駒を介して響板に伝達された弦の振動は響板から反発する応力を生じさせ、この応力によって駒を反復振動させ弦を振動させる。
【０００３】
駒の上（頭部）には、例えばマンドリンの場合、低音弦から低中音弦、高中音弦、高音弦と順に張設される。各弦の振動に対しては、低音弦については響板が大きく振幅することによって力強く幅広い音を発生させ、他方高音弦については響板が細かく振幅することによって鋭く細い音を発生させることが、バランスのとれた良く鳴る楽器としての機能上望ましい。駒は、前記したように、弦と響板の間に介在されて弦の振動を響板に伝達するものであるから、低音域の弦については弦の振動を響板に大きく振幅させ、また高音域の弦については弦の振動を響板に細かく伝達することが有効である。
【０００４】
しかるに、従来の駒構造では、例えば添付の図面の図１５及び図１６に示したマンドリン９０のように、正面視略左右対称の台形状に形成された駒９１が響板９２上に固定されている。このような駒９１にあっては、図１６に図示のように、低音弦Ｓ１の駒９１の端部９１Ｅまでの距離Ｋ１が、低中音弦Ｓ２の駒９１の端部９１Ｅまでの距離Ｋ２よりも小さい。また、低音弦Ｓ１の駒９１の端部９１Ｅまでの距離Ｋ１と、高音弦Ｓ４の駒９１の端部９１Ｆまでの距離Ｋ４とがほぼ等しい。
【０００５】
駒９１の全長Ｗの中央部Ｏを中心とする駒９１の振動は、駒９１の先端９１Ｅ，９１Ｆにかかる響板９２の応力が一定であるとするならば、伝達距離の大きい低中音弦Ｓ２の方が低音弦Ｓ１より大きいことになり、また低音弦Ｓ１と高音弦Ｓ４とは同じということになる。従って、駒９１が生じさせる響板９２の反発応力による振幅も、これにより、低中音弦Ｓ２の方が低音弦Ｓ１より大きく、また低音弦Ｓ１と高音弦Ｓ４とが同じになり、前記した、低音弦Ｓ１については響板９２が大きく振幅して力強く幅広い音を発生させ、他方高音弦Ｓ４については響板９２が細かく振幅して鋭く細い音を発生させるという要請とは相反する結果となる。
【０００６】
上のように、従来の駒構造にあっては、本来響板９２を大きく振幅させるべき低音弦Ｓ１について駒９１の振動を大きくすることに関して何ら考慮されていなかった。かえって、低音弦Ｓ１よりも中音域の低中音弦Ｓ２や高中音弦Ｓ３の方が響板９２の振幅が大きかったり、あるいは低音弦Ｓ１と高音弦Ｓ４との響板９２の振幅がほぼ同じという、バランスのとれた良く鳴る楽器としての機能に反する構造を有していた。
【０００７】
【発明が解決しようとする課題】
そこで、この発明は、低音弦について駒の振動を大きくすることによって、本来の低音弦の伸びがあり響きのいい音を発生させる弦鳴楽器を提案するものであって、もってバランスのとれた良く鳴る楽器を提供しようとするものである。
【０００８】
【課題を解決するための手段】
すなわち、請求項１の発明は、 低音弦から高音弦までの複数の弦を載置する駒を有する弦鳴楽器であって、前記駒の低音弦側の側部から駒本体の内側に形成された空間部を介して低音弦側に自由肩部が形成されているとともに、前記空間部内に設けられた支持部材によって前記自由肩部が支持されていることを特徴とする弦鳴楽器に係る。
【０００９】
また、請求項２の発明は、前記空間部が駒本体に形成された切欠溝よりなり、前記自由肩部が該切欠溝内に設けられた支持部材によって支持されている請求項１に記載の弦鳴楽器に係る。
【００１０】
請求項３の発明は、前記自由肩部が楽器本体に設けられた支持部材によって支持されている請求項１に記載の弦鳴楽器に係る。
【００１１】
請求項４の発明は、前記支持部材が前記空間部に沿って移動自在に設けられている請求項１ないし３のいずれかに記載の弦鳴楽器に係る。
【００１２】
請求項５の発明は、低音弦から高音弦までの複数の弦を載置する駒本体を備え、前記駒本体は低音弦側支持部材及び高音弦側支持部材によって支持されているとともに、前記低音弦側支持部材の前記低音弦と高音弦の中間位置を基準とする距離（ｘ）は前記高音弦側支持部材の前記低音弦と高音弦の中間位置を基準とする距離（ｙ）よりも短く形成されていることを特徴とする弦鳴楽器に係る。
【００１３】
請求項６の発明は、前記低音弦側支持部材及び高音弦側支持部材が楽器本体上に配置された足部材と結合されている請求項５に記載の弦鳴楽器に係る。
【００１４】
請求項７の発明は、前記低音弦側支持部材及び高音弦側支持部材が直接楽器本体に結合されている請求項５に記載の弦鳴楽器に係る。
【００１５】
【発明の実施の形態】
以下添付の図面に従ってこの発明を詳細に説明する。
図１はこの発明の一実施例に係るマンドリンの駒構造を示す要部の断面図、図２は図１の駒の振動を表す模式図、図３は駒と響板と力木の関係を表す要部断面図、図４は駒形状と力木の関係を表す要部断面図、図５は駒構造の他の例を示す断面図、図６は同じく駒構造の別の実施例を示す断面図、図７はさらに駒構造の他の実施例を示す断面図、図８は駒構造の他の実施例を示す断面図、図９は電気ギターの駒の一実施例を示す要部の断面図、図１０は駒の空間部に支持部材を設けた構造を表す要部断面図、図１１は同じく支持部材を設けた駒の他の実施例を示す断面図、図１２はさらに支持部材を設けた駒の別の実施例を示す断面図、図１３は駒本体が支持部材によって支持された駒構造の一実施例を示す要部断面図、図１４は同じく電気ギターにおける実施例を示す要部の断面図である。
【００１６】
図１に示すこの発明の弦鳴楽器は、低音弦から高音弦までの複数の弦Ｓ１，Ｓ２，Ｓ３，Ｓ４を載置する駒１０を有し、前記駒１０の低音弦Ｓ１側の側部１２から駒本体１１の内側に形成された空間部１５を介して、低音弦Ｓ１側に自由肩部１６が形成されたものである。なお、図に示す弦鳴楽器はマンドリンを例としたもので、２本で一対の複弦構造を有する。符号９はマンドリンの響板を示す。
【００１７】
図示した駒１０の空間部１５は、切欠溝１５Ｇとすることができる。この切欠溝１５Ｇは、図に示すように低音弦Ｓ１側の側部１２から低中音弦Ｓ２付近まで切り込んだもので、最も簡単かつ容易に自由肩部１６を形成できるほか、足部１７が形成されるので安定性があるという利点がある。なお、空間部１５の大きさや長さならびに形状等は特に限定されるものでなく、駒１０の低音弦Ｓ１側に自由肩部１６が形成されるものであればよい。楽器の種類や駒部材の大きさや形状、あるいは求められる音調等によって適宜決定される。
【００１８】
このように駒１０の低音弦Ｓ１側に自由肩部１６を形成した駒１０にあっては、図２の模式図にも示したように、低音弦Ｓ１の振動が大幅に増大し、該低音弦Ｓ１を弾いたときに駒１０の低音弦Ｓ１側が他の弦Ｓ２，Ｓ３，Ｓ４に比して大きく振動することとなる。その結果、響板９に伝達される低音弦Ｓ１側の振動も大きくなり、これによって生ずる響板９の反発応力も大きくなり、低音弦Ｓ１に力強く幅広い音を発生させることができる。これに対して、低中音弦Ｓ２、高中音弦Ｓ３、高音弦Ｓ４に行くに従い響板９に伝達される駒の振動も順次小さくなり、響板９の反発応力も小さくなって、バランスのよい音作りが可能となるのである。
【００１９】
図３は響板９の裏面に設けられた力木８との関係を示したものであるが、この例のように、低音弦Ｓ１側の力木部分８ａを小さくしかつ高音弦Ｓ４側の力木部分８ｂを大きくすることによって、低音弦Ｓ１側の力木部分８ａが高音弦Ｓ４側の力木部分８ｂを支点としてより振幅しやすくなり、これによって低音弦Ｓ１側の響板９の振幅をさらに増大させることができるとともに、その反応も早めることができる。
【００２０】
なお、図４に示す駒１０Ａのように、自由肩部１６下部の空間部１５が足部のない大きな切欠空間部１５Ｖとすることも可能である。この場合には、駒１０Ａの安定性のために、図示のように、響板９の駒１０Ａの対応位置に力木８を設けることが好ましい。
【００２１】
図５以下は、駒構造の他の例を示すものである。なお、これらの例において、上の例と同一符号は同一構成を表すものとする。
図５の駒１０Ｂは駒本体１１の中央の高中音弦Ｓ３にほぼ対応する位置に貫通孔２０を形成したもので、各弦の圧力を分散させ低音弦Ｓ１側の振動を大きくする効果がある。図６の駒１０Ｃは駒本体１１の下部の高音弦Ｓ４側に切欠部２１を形成したもので、上と同様に、低音弦Ｓ１側の振動を大きくするとともに、各弦の圧力を分散させる効果がある。
【００２２】
図７の駒１０Ｄは駒本体１１の上部に切欠部２２、下部に切欠部２３を設けたものである。また、図８の駒１０Ｅは上部切欠部２４と２つの貫通孔２５，２６を設けたものである。これらの例のように、駒に対する各弦の圧力を分散し駒の低音弦Ｓ１側の振動を向上させるために、適宜の切欠や貫通孔を設けることができる。
【００２３】
図９は電気ギターの駒（ブリッジ）１０Ｆの一例を示すもので、低音弦Ｓ１から高音側へ順にＳ２，Ｓ３，Ｓ４，Ｓ５，Ｓ６（高音弦）の６本の弦が駒（ブリッジ）本体１１の各サドル２９上に載置されている。この場合においても、低音弦Ｓ１側に切欠部１５Ｖよりなる空間部１５を介して自由肩部１６が形成されている。符号９Ａは響板に対応するボディ本体である。
【００２４】
図１０に図示した駒１０Ｇの構造は、前記駒の空間部１５内に設けられた支持部材３０によって前記自由肩部１６が支持されたものである。該支持部材３０は木、プラスチック、金属等から構成することができる。この支持部材３０は、空間部１５によって形成される自由肩部１６の長さ（大きさ）を調整し、自由肩部１６の振動の大きさを決定する。
【００２５】
さらに、前記支持部材３０は、請求項４の発明として規定するように、前記空間部１５に沿って移動自在に設けられた構造としてもよい。この場合、駒１０の空間部１５に支持部材３０の移動用の溝（図示せず）等を形成しておき、スライド可能とするとずれが無くスムーズな移動ができる。このように支持部材３０を移動可能とすることにより、自由肩部１６の長さ（大きさ）を調整可能とし、駒本体の振動を自由に変更調整することができる。
【００２６】
図１１の駒１０Ｈは、空間部１５（切欠溝１５Ｇ）の先端に駒本体１１下方へのＶ字溝３１を形成して自由肩部１６の可撓性（ここでは振動性）を向上させたものである。また、図１２の駒１０Ｉは、自由肩部１６が楽器本体（響板９）に設けられた支持部材３０によって保持された例である。この例では支持部材３０は支持体３０Ａと台部分３０Ｂより構成され、支持体３０Ａは台部分３０Ｂを移動する。
【００２７】
さらにまた、他の例として、請求項５の発明として規定し図１３に図示した駒４０が開示される。すなわち、この構造に係る駒４０の構造は、低音弦から高音弦までの複数Ｓ１，Ｓ２，Ｓ３，Ｓ４の弦を載置する駒本体４１を備え、前記駒本体４１は低音弦側支持部材５１及び高音弦側支持部材５２によって支持されているとともに、前記低音弦側支持部材５１の前記低音弦Ｓ１と高音弦Ｓ４の中間位置Ｏを基準とする距離ｘは、前記高音弦側支持部材５２の前記低音弦Ｓ１と高音弦Ｓ４の中間位置Ｏを基準とする距離ｙよりも短く形成されていることを特徴とするものである。
【００２８】
上の駒４０にあっては、図からも解るように、低音弦側支持部材５１が、高音側支持部材５２よりも、低音弦Ｓ１と高音弦Ｓ４との中間位置Ｏにより近く配置されている。つまり、駒本体４１の低音弦Ｓ１側に高音弦Ｓ４側よりも振動の大きい自由肩部４２が形成されているのである。そして、その結果として、先の発明について述べたと同様に、低音弦Ｓ１側における駒本体４１の振動が大きくなり、響板９に伝達される低音弦Ｓ１側の振動も大きくなり、これによって生ずる響板９の反発応力も大きくなり、響板９を大きく振幅させ、低音弦Ｓ１に力強く幅広い音を発生させることができる。
【００２９】
前記低音弦側支持部材５１と高音弦側支持部材５２は、先の実施例の支持部材３０と同様に、木、プラスチック、金属等から形成することができる。このような構成とすることによって、駒本体４１に振動の大きい自由肩部４２を容易かつ確実に形成することができるほか、先述した駒本体に空間部を形成する構造に比して、強固で耐久性の高い機構とすることができる。また、必要に応じて、各支持部材５１，５２を移動可能として位置調節自在とすることができる。さらに、図示しないが、支持部材５１，５２を例えばボルト及びナット部材によって構成し、駒本体４１の高さ位置（間隔）を変更可能又は調節自在とすることもできる。
【００３０】
図１３の実施例では、請求項６の発明として規定したように、駒本体４１が低音弦側支持部材５１と高音弦側支持部材５２が響板９上に配置された足部材４５と結合されている例が示される。響板９が薄板よりなるマンドリン等にあってはこのような構造が望ましい。
【００３１】
これに対して、図１４の実施例に示す駒４０Ａの構造では、請求項７の発明として規定したように、駒本体４１が低音弦側支持部材５１と高音弦側支持部材５２を介して直接楽器本体６０に結合されている例が示される。この例は、電気ギター等の例で、高音弦側支持部材５２はボルト５３よりなり、低音弦側支持部材５１は前記した支持部材（３０）よりなる。符号Ｓ１（低音弦）ないしＳ６（高音弦）は弦、２９はサドル、５４は座金、６０はボディ本体を表す。
【００３２】
上に述べた実施例の駒構造では、弦鳴楽器として主としてマンドリンやギター（電気ギターを含む）を例に説明したが、このほかに弦と駒を有するピアノ、あるいは各種の撥弦楽器、擦弦楽器、打弦楽器等においてもこの発明は有効に利用されることができる。
【００３３】
【発明の効果】
以上図示し説明したように、この発明の弦鳴楽器によれば、低音弦について駒の振動を大きくしたものであるから、これによって、本来の低音弦の伸びがあり響きのいい音を発生させることができるようになり、バランスのとれた良く鳴る楽器を提供することができるようになった。
【００３４】
また、空間部内に自由肩部を支持する支持部材を設けることによって、最も適切な位置の振動の支点を配置することができる。
【００３５】
請求項２の発明によれば、空間部を切欠溝によって形成することで、極めて簡単かつ容易に製作できる利点がある。
【００３６】
さらに、請求項４の発明によれば、支持部材が空間部内を移動自在に構成されていることによって、振動の支点を自由に調節することができる。
【００３７】
さらにまた、請求項５の発明によれば、駒本体を低音弦側支持部材と高音弦側支持部材によって支持したものであるから、駒本体に振動の大きい自由肩部を容易かつ確実に形成することができるほか、駒本体に空間部を形成する構造に比して、強固で耐久性の高い機構とすることができる。また、必要に応じて位置調節や高さ調節も可能となるなどの利点がある。
【図面の簡単な説明】
【図１】  この発明の一実施例に係るマンドリンの駒構造を示す要部の断面図である。
【図２】  図１の駒の振動を表す模式図である。
【図３】  駒と響板と力木の関係を表す要部断面図である。
【図４】  駒形状と力木の関係を表す要部断面図である。
【図５】  駒構造の別の実施例を示す断面図である。
【図６】  同じく駒構造の他の実施例を示す断面図である。
【図７】  駒構造の他の実施例を示す断面図である。
【図８】  駒構造の他の実施例を示す断面図である。
【図９】  電気ギターの駒の一実施例を示す要部の断面図である。
【図１０】  駒の空間部に支持部材を設けた構造を示す図である。
【図１１】  同じく支持部材を設けた駒の他の実施例を示す断面図である。
【図１２】  さらに支持部材を設けた駒の別の実施例を示す断面図である。
【図１３】  駒本体が支持部材によって支持された駒構造の一実施例を示す要部断面図である。
【図１４】  同じく電気ギターにおける実施例を示す要部の断面図である。
【図１５】  一般的な弦鳴楽器の一例を示す斜視図である。
【図１６】  従来の駒構造の一実施例を示す要部の断面である。
【符号の説明】
９    響板
１０，１０Ａ〜１０Ｉ  駒
１１  駒本体
１２  駒の低音弦側の側部
１５  空間部
１６  自由肩部
１７  足部
３０  支持部材
４０，４０Ａ  駒
４１  駒本体
４５  足部材
５１  低音弦側支持部材
５２  高音弦側支持部材
Ｓ１  低音弦
Ｓ２  低中音弦
Ｓ３  高中音弦
Ｓ４  高音弦
【図１】
0003836043.tif 000002
【図２】
0003836043.tif 000003
【図３】
0003836043.tif 000004
【図４】
0003836043.tif 000005
【図５】
0003836043.tif 000006
【図６】
0003836043.tif 000007
【図７】
0003836043.tif 000008
【図８】
0003836043.tif 000009
【図９】
0003836043.tif 000010
【図１０】
0003836043.tif 000011
【図１１】
0003836043.tif 000012
【図１２】
0003836043.tif 000013
【図１３】
0003836043.tif 000014
【図１４】
0003836043.tif 000015
【図１５】
0003836043.tif 000016
【図１６】
0003836043.tif 000017